(57)【要約】【課題】  安価な材料を用いて容易に製造することができ、組立が簡単で、しかも展示物を安定に保持、展示することができる組立式展示用物立を提供することを課題とする。【解決手段】  背当て部と、背当て部の左右に折り目線を介して連接する左右の支持側壁と、左の支持側壁内の点を始点とし、背当て部をとおり、右の支持側壁内の点を終点とする、背当て部の下辺に平行な折り目線と、この折り目線の始点と終点とを結び、上記背当て部の下辺に平行な折り目線よりも背当て部の下辺とは反対側を通る切れ目とによって形成される係合片と、背当て部の下辺に連接し、少なくとも２本の折り目線を有している載置台部と、を有している組立式展示用物立作成用のシート状材料を提供するとともに、この組立式展示用物立作成用のシート状材料を折り畳んで組み立てられる組立式展示用物立を提供することによって、上記の課題を解決する。【選択図】  図１
0003124883.tif 000002
【実用新案登録請求の範囲】
【請求項１】
折り畳んで組み立てることによって展示用物立となる組立式展示用物立作成用のシート状材料であって、このシート状材料は、（１）互いに平行な左右の側辺と、左右の側辺の下端同士を連結する側辺と直交する下辺とを備えた背当て部であって、当該背当て部は、その下辺からシート状材料の略厚みに相当する長さだけ内側に入った位置に、背当て部の下辺と平行な折り目線を有する背当て部と、（２）背当て部の左右の側辺のそれぞれに、折り目線を介して連接する左右の支持側壁と、（３）左の支持側壁内の点を始点とし、背当て部をとおり、右の支持側壁内の点を終点とする、背当て部の下辺に平行な折り目線と、この折り目線の始点と終点とを結び、上記背当て部の下辺に平行な折り目線よりも背当て部の下辺とは反対側を通る切れ目とによって形成される係合片であって、当該係合片は、上記始点部分において背当て部の下辺と略平行に左に突出する左凸部と、上記折り目線の終点部分において背当て部の下辺と略平行に右に突出する右凸部とを有するとともに、背当て部と左の支持側壁との間の折り目線と交差する部分に、背当て部の下辺方向に凹んだ左凹部と、背当て部と右の支持側壁との間の折り目線と交差する部分に、背当て部の下辺方向に凹んだ右凹部とを有している係合片と、（４）上記係合片を形成する折り目線の始点と、背当て部と左の支持側壁との間の折り目線上であって、かつ、係合片を形成する折り目線よりも背当て部の下辺に近い位置にある点とを結ぶ左の切れ目と、（５）上記係合片を形成する折り目線の終点と、背当て部と右の支持側壁との間の折り目線上であって、かつ、係合片を形成する折り目線よりも背当て部の下辺に近い位置にある点とを結ぶ右の切れ目と、（６）背当て部の下辺に連接する上辺と、上辺と平行な下辺と、下辺から突出する舌片とを有する載置台部であって、当該載置台部は、上辺と下辺との間に、上辺および下辺に平行な少なくとも２本の折り目線を有している載置台部と、（７）背当て部の下辺からシート状材料の略厚みに相当する長さだけ内側に入った位置にある折り目線に沿って設けられた、上記載置台部の舌片に対応した切り欠き部とを有している、組立式展示用物立作成用のシート状材料。
【請求項２】
舌片が、載置台部の下辺から舌片の先端部に向かって幅広に形成されており、当該舌片に対応した切り欠き部が、背当て部の下辺からシート状材料の略厚みに相当する長さだけ内側に入った位置にある折り目線から背当て部の内側に向かって幅広に形成されている請求項１記載の組立式展示用物立作成用のシート状材料。
【請求項３】
シート状材料が、厚紙、段ボール紙、または合紙である請求項１または２記載の組立式展示用物立作成用のシート状材料。
【請求項４】
請求項１、２、または３記載の組立式展示用物立作成用のシート状材料を折り畳んで組み立てられる展示用物立。
【考案の詳細な説明】
【技術分野】
【０００１】
本考案は、組立式展示用物立作成用のシート状材料とそれを用いて組み立てられる展示用物立に関し、特に、安価な材料を用いて簡単に組み立てることができ、しかも安定な、組立式展示用物立を作成するためのシート状材料とそれを用いて組み立てられる展示用物立に関する。
【背景技術】
【０００２】
展示用物立は、例えば図書や書籍などの展示物を立て掛けて展示するための物立であり、斜めに立て掛けることによって平置にするよりも注目を引くことができるので、推薦図書や新刊書などを陳列、展示する手段として、図書館や書店などで広く利用されている。展示用物立としては、これまでにも種々の形態のものが提案され実用化されているが、いずれも一長一短で、構造が簡単なものは安定性が悪く、また逆に、安定性に優れたものは構造が複雑で、かつ、嵩張ってしまうという欠点があった。
【０００３】
例えば、軟質材料を被覆した線材などを折り曲げてシンプルな輪郭だけで全体を形成したものにあっては、構造は簡単ではあるが、接地面積が少なく、図書を載置したときの安定性に欠けるという欠点がある。他方、従来からあるブックエンドを改良し、図書当て部分をやや斜めにすると共に、図書の下端を滑らないように受ける図書受を設けたものや、安定性を改良するために別途、基台を取り付けたものなどもあるが、形状が不規則に立体的であって全体的に嵩張り、不使用時の保管場所に困るという問題点がある。また、輸送時や不使用時のことを考慮して、組立式にしたものもあるが、組立手順が複雑で、必要な時に必要な数だけ取り出して使用に供するという要請には到底応じられるものではなかった。
【０００４】
このような不都合を解消する試みとして、例えば、特許文献１においては、折り畳み式の展示用物立が提案されている。この特許文献１において提案されている折り畳み式の展示用物立は、断面Ｌ字状の２枚の板状部材を回動可能に連結してなるものであり、十分な安定性を備えつつ、不使用時にはコンパクトに折り畳むことができ嵩張ることがないものではあるけれども、２枚の板状部材として、例えば金属板やプラスチック板などの強度と耐久性とを備えた材料を用いる必要があり、製造に手間が掛かる上に、高価にならざるを得ないという欠点があった。
【特許文献１】特開平１１−３０９０２８号公報
【考案の開示】
【考案が解決しようとする課題】
【０００５】
本考案は、従来の展示用物立が有する上記の不都合を解消するために為されたもので、安価な材料を用いて容易に製造することができ、組立が簡単で、しかも展示物を安定に保持、展示することができる組立式展示用物立を提供することを課題とするものである。
【課題を解決するための手段】
【０００６】
本考案は、折り畳んで組み立てることによって展示用物立となる組立式展示用物立作成用のシート状材料であって、このシート状材料は、（１）互いに平行な左右の側辺と、左右の側辺の下端同士を連結する側辺と直交する下辺とを備えた背当て部であって、当該背当て部は、その下辺からシート状材料の略厚みに相当する長さだけ内側に入った位置に、背当て部の下辺と平行な折り目線を有する背当て部と、（２）背当て部の左右の側辺のそれぞれに、折り目線を介して連接する左右の支持側壁と、（３）左の支持側壁内の点を始点とし、背当て部をとおり、右の支持側壁内の点を終点とする、背当て部の下辺に平行な折り目線と、この折り目線の始点と終点とを結び、上記背当て部の下辺に平行な折り目線よりも背当て部の下辺とは反対側を通る切れ目とによって形成される係合片であって、当該係合片は、上記始点部分において背当て部の下辺と略平行に左に突出する左凸部と、上記折り目線の終点部分において背当て部の下辺と略平行に右に突出する右凸部とを有するとともに、背当て部と左の支持側壁との間の折り目線と交差する部分に、背当て部の下辺方向に凹んだ左凹部と、背当て部と右の支持側壁との間の折り目線と交差する部分に、背当て部の下辺方向に凹んだ右凹部とを有している係合片と、（４）上記係合片を形成する折り目線の始点と、背当て部と左の支持側壁との間の折り目線上であって、かつ、係合片を形成する折り目線よりも背当て部の下辺に近い位置にある点とを結ぶ左の切れ目と、（５）上記係合片を形成する折り目線の終点と、背当て部と右の支持側壁との間の折り目線上であって、かつ、係合片を形成する折り目線よりも背当て部の下辺に近い位置にある点とを結ぶ右の切れ目と、（６）背当て部の下辺に連接する上辺と、上辺と平行な下辺と、下辺から突出する舌片とを有する載置台部であって、当該載置台部は、上辺と下辺との間に、上辺および下辺に平行な少なくとも２本の折り目線を有している載置台部と、（７）背当て部の下辺からシート状材料の略厚みに相当する長さだけ内側に入った位置にある折り目線に沿って設けられた、上記載置台部の舌片に対応した切り欠き部とを有している、組立式展示用物立作成用のシート状材料を提供することによって、上記の課題を解決するものである。また、本考案は、上記の組立式展示用物立作成用のシート状材料を折り畳んで組み立てられる組立式展示用物立を提供することによって、上記の課題を解決するものである。
【０００７】
本考案の組立式展示用物立作成用のシート状材料においては、上記舌片が、載置台部の下辺から舌片の先端部に向かって幅広に形成されており、当該舌片に対応した切り欠き部が、背当て部の下辺からシート状材料の略厚みに相当する長さだけ内側に入った位置にある折り目線から背当て部の内側に向かって幅広に形成されていることが望ましく、舌片と切り欠き部とがこのように形成されている場合には、舌片の幅広部が切り欠き部とよく係合し、重量のある展示物を載置しても、舌片と切り欠き部との係合がはずれる恐れがないという利点が得られる。
【０００８】
本考案において用いるシート状材料としては、折り曲げて本考案の組立式展示用物立を組み立てることができる限り、どのような材料を用いても良いけれども、入手や加工の容易性からは、厚紙、段ボール紙、または合紙などの紙を用いるのが好ましい。
【０００９】
また、本考案の組立式展示用物立が対象とする展示物は、図書や書籍に限られず、雑誌、カタログ、パンフレット、その他の印刷物はいうに及ばず、写真、絵画、額、掛け時計、レコード、ＣＤ、ＭＤ、ＬＤ、ビデオテープ、ＭＯ、その他の記憶媒体、箱状の商品等、立て掛けて陳列、展示することができるものならば全てを対象として包含するものである。
【考案の効果】
【００１０】
本考案の組立式展示用物立作成用のシート状材料によれば、シート状材料を折り目線に沿って折り曲げるという極めて簡単で単純な作業によって、展示用物立を組み立てることができる。しかも、本考案のシート状材料を用いて組み立てられる展示用物立は、展示物の背面を支える背当て部を有するとともに、展示物の下面を支える前上がりの載置台部を備えているので、展示物を斜めに展示しても展示物が前方に滑って、展示用物立から落下することがない。しかも、展示物自身の重量の大部分は載置台部に掛かり、本考案の組立式展示用物立を下方に押し付ける方向に作用するので、重量のある展示物でも安定して展示することができるという利点が得られる。特に、舌片を先端部に向かうほど幅広に形成し、切り欠き部を背当て部の内側に向かうほど幅広に形成して、舌片と切り欠き部とを係合させる場合には、舌片の幅広部が切り欠き部とよく係合し、重量のある展示物を載置しても、舌片と切り欠き部との係合が外れないという効果が得られる。さらには、シート状材料として、厚紙や段ボール紙、合紙などの紙を用いる場合には、材料が比較的安価である上に、加工が容易であるので、極めて経済的に製造することができるという利点を備えている。また、本考案の組立式展示用物立作成用のシート状材料は、組み立て前にはシート状、すなわち、平板状であるので、何枚も重ねておくことができ、嵩張らず、保管や輸送にも極めて便利であるという優れた利点を備えているものである。
【考案を実施するための最良の形態】
【００１１】
以下、本考案を図面に基づいて詳細に説明するが、本考案が図示のものに限られるものでないことはいうまでもない。
【００１２】
図１は、本考案の組立式展示用物立作成用のシート状材料の一例を示す図である。この図１に示すシート状材料は、折り曲げることによって本考案の組立式展示用物立を作成することができるものであり、本考案の組立式展示用物立にとっては、展開図に相当するものである。
【００１３】
図１において、１は本考案の組立式展示用物立作成用のシート状材料１であり、本考案の組立式展示用物立作成用のシート状材料１は、背当て部２、左右の支持側壁３、４、係合片５、載置台部６、舌片７、舌片７に対応した切り欠き８を有している。
【００１４】
背当て部２は、図示の例においては長方形状であり、左右（図１における左右）の側辺２１ａ、２１ｂと、下辺２２と、上辺２３とを有している。背当て部２は長方形であるので、左右の側辺２１ａ、２１ｂが互いに平行で、下辺２２が、左右の側辺２１ａ、２１ｂの下辺同士を連結し、左右の側辺２１ａ、２１ｂと直交していることはいうまでもない。背当て部２の形状としては、長方形状に限られず、正方形であっても良く、また、上辺２３は直線でなくても良い。図中一点鎖線で示す２４は、下辺２２からシート状材料１の略厚みに相当する長さｄだけ内側に入った位置に、下辺２２と平行に設けられた谷折りの折り目線である。
【００１５】
折り目線２４に沿って、後述する舌辺７に対応する切り欠き８が設けられている。切り欠き部８は、図示のとおり、折り目線２４に接した部分から背当て部２の内側に向かって、幅広になるように形成されている。切り欠き部８の最も幅広部分の幅は、後述する舌片７の最も幅広部分の幅よりも広く、切り欠き部８の最も幅狭部分の幅は、前記舌片７の最も幅広部分の幅よりも狭く形成されている。切り欠き部８の高さ、すなわち、折り目線２４と垂直な方向の長さは、シート状材料の厚みよりも長い方が好ましく、通常は、シート状材料の厚みの１．５倍ないし３倍の範囲が良い。
【００１６】
左右の支持側壁３、４は、図示のとおり、背当て部２の左右の側辺２１ａ、２１ｂに、それぞれ連接しており、左右の側辺２１ａ、２１ｂは、ともに、図中二点差線で示すように、山折りの折り目線を兼ねているので、左右の支持側壁３、４は、それぞれ、背当て部２の左右の側辺２１ａ、２１ｂのそれぞれに、山折りの折り目線を介して連接することになる。
【００１７】
左右の支持側壁３、４の形状には、折り目線２１ａ、２１ｂに沿って折り曲げられたときに背当て部２を支持することができる限り、特段の制限はないけれども、十分な安定性を得るためには、下辺３１および４１の長さは長い方が良く、一方、上辺３２、４２の長さには特段の制限はないので、左右の支持側壁３、４の形状としては、略三角形状が好ましく、さらに好ましくは、側辺３３、４３の長さが、それぞれ背当て部２の側辺２１ａ、２１ｂの長さとほぼ等しい略二等辺三角形状である。
【００１８】
また、左右の支持側壁３、４の下辺３１、４１と、背当て部２の下辺２２との間の角度αは、本考案の組立式展示用物立を組み立てたときの背当て部２の垂直からの傾斜角度、すなわち、展示物の展示角度に相当するものである。展示物の展示角度としては、垂直よりも若干後方に傾斜している方が望ましく、他方、余りに過度に後方に傾斜すると、展示物の見栄えが悪くなるとともに、展示用物立の安定性も悪くなる。したがって、角度αとしては、０度超で４５度未満が好ましく、より好ましくは５度〜３０度の範囲であり、さらに好ましくは１０度〜２０度の範囲が良い。因みに、図１の例においては、角度αは１５度であり、これが最も好ましい展示角度である。
【００１９】
係合片５は、左の支持側壁３内の点Ａと始点とし、右方向に伸び、背当て部２を通り、右の支持側壁４内の点Ｂを終点とする、背当て部２の下辺２２と平行な山折りの折り目線５１と、この折り目線５１の始点Ａと終点Ｂとを結び、この折り目線５１よりも背当て部２の下辺２２とは反対側を通る切れ目５２とによって形成されている。始点Ａと終点Ｂとを結ぶ切れ目５２の経路を図示のような経路とすることによって、係合片５１には、始点Ａの部分において背当て部２の下辺２２と略平行に左に突出する左凸部５３ａと、終点Ｂ部分において背当て部２の下辺２２と略平行に右に突出する右凸部５３ｂとが設けられている。同様に、切れ目５２の経路を図示のような経路とすることによって、係合片５１には、背当て部２と左の支持側壁３との間の折り目線２１ａと交差する部分に、背当て部２の下辺２２の方向に凹んだ左凹部５４ａと、背当て部２と右の支持側壁４との間の折り目線２１ｂと交差する部分に、背当て部２の下辺２２の方向に凹んだ右凹部５４ｂとが設けられている。
【００２０】
なお、折り目線５１と折り目線２１ａとの交点から左凸部５３ａの先端までの長さと、左凹部５４ａの最下端から折り目線２１ａに沿って垂直に降ろした折り目線５１までの長さとは同じか、ほぼ同じに設定されており、同様に、折り目線５１と折り目線２１ｂとの交点から右凸部５３ｂの先端までの長さと、右凹部５４ｂの最下端から折り目線２１ｂに沿って垂直に降ろした折り目線５１までの長さとは同じか、ほぼ同じに設定されている。
【００２１】
５５ａは、係合片５１を形成する折り目線５１の始点Ａと、背当て部２と左の支持側壁３との間の折り目線２１ａ上であって、かつ、折り目線５１よりも背当て部２の下辺２２に近い位置にある点とを結ぶ左の切れ目であり、５５ｂは、係合片５１を形成する折り目線５１の終点Ｂと、背当て部２と左の支持側壁４との間の折り目線２１ｂ上であって、かつ、折り目線５１よりも背当て部２の下辺２２に近い位置にある点とを結ぶ右の切れ目である。
【００２２】
載置台部６は、背当て部２の下辺２２に連接する上辺６１と、上辺６１と平行な下辺６２と、上辺６１と下辺６２とを連結する左右の側辺６３ａ、６３ｂを有している。また、載置台部６は、上辺６１と下辺６２との間に、上辺６１および下辺６２に平行な２本の谷折りの折り目線６４、６５を有している。この２本の折り目線６４，６５によって、載置台部６は、３つの部分６ａ、６ｂ、６ｃに分割されている。部分６ｃの上辺に垂直方向の長さは、部分６ａの上辺と垂直方向の長さよりも若干長めになるように、折り目線６４、６５を入れるのが良い。これによって、部分６ａ、６ｂ、６ｃは、折り畳まれたとき、部分６ａが水平な下辺となる、断面三角形を形成し、手前上がりの載置台を形成することができる。
【００２３】
なお、載置台部６の形状は、図示の例においては、横長の長方形であるが、載置台部６の形状は、上辺６１と下辺６２とが平行でありさえすれば、長方形に限られるものではなく、正方形であっても、台形であっても、側辺６３ａ、６３ｂが左右に飛び出した六角形であっても良い。また、図示の例においては、載置台部６は、背当て部２よりも幅広であるが、背当て部２と同じ幅であっても、また、背当て部２よりも幅狭であっても良い。さらに、折り目線６４、６５は、少なくとも２本あることが必要であるけれども、２本に限られず、３本以上であっても良い。折り目線が３本以上の場合にも、載置台部６が折り畳まれて、手前上がりの載置台を形成するように、折り目線が入れられることはいうまでもない。
【００２４】
舌片７は、載置台部６の下辺６２から下方に突き出しており、その形状は、図示のとおり、載置台部６の下辺６２から舌片７の先端部に向かって幅広に形成されている。上述したとおり、舌片７は、背当て部２の折り目線２４に沿って設けられている切り欠き８に対応し、舌片７の最も幅広部分の幅は、切り欠き部８の最も幅広部分の幅よりも狭く、かつ、切り欠き部８の最も幅狭部分の幅よりも広く形成されている。舌片７は、後述するとおり、載置台部６が折り目線６４、６５に沿って折り曲げられたとき、切り欠き８内に挿入されて、切り欠き部８と係合し、載置台部６を折り畳んだ所定の形状に保持するためのものである。図示の例においては、舌片７は１つだけが形成されているけれども、舌片７の数は１つに限られず、２つであっても、３つ以上であっても良い。ただし、舌片７の数が１つの場合には、片手で舌片７を切り欠き８に挿入して、係合させることができるので、より便利である。舌片７の数に合わせて、対応して設ける切り欠き８の数も変化させることは勿論である。
【００２５】
次に図２〜図５を用いて、本考案の組立式展示用物立作成用のシート材料１を用いて、本考案の組立式展示用物立を組み立てる手順について説明する。
【００２６】
まず、図２に矢印で示すとおり、左右の支持側壁３、４を、それぞれ、折り目線２１ａ、２１ｂに沿って山折りに折り曲げる。折り曲げる角度は９０度である。この左右の支持側壁３、４の折り曲げによって、係合片５と、左右の支持側壁３、４とは、切れ目５２の左の支持側壁３内の部分５２ａ、および、切れ目５２の右の支持側壁４内の部分５２ｂによって切り離され、折り曲げられた左の支持側壁３内には、左凸部５３ａに対応して、凹部３４が形成され、折り曲げられた右の支持側壁４内には、右凸部５３ｂに対応して、凹部４４が形成されることになる。
【００２７】
続いて、図３に矢印で示すとおり、係合片５を折り目線５１に沿って山折りに折り曲げ、同時に、左凹部５４ａおよび右凹部５４ｂを、それぞれ、左右の支持側壁３、４の折り曲げによって形成された凹部３４、４４と係合させる。このとき、上述したとおり、折り目線５１と折り目線２１ａとの交点から左凸部５３ａの先端までの長さと、左凹部５４ａの最下端から折り目線２１ａに沿って垂直に降ろした折り目線５１までの長さとは同じか、ほぼ同じに設定されており、同様に、折り目線５１と折り目線２１ｂとの交点から右凸部５３ｂの先端までの長さと、右凹部５４ｂの最下端から折り目線２１ｂに沿って垂直に降ろした折り目線５１までの長さとは同じか、ほぼ同じに設定されているので、左右の凹部５４ａ、５４ｂと、凹部３４、４４との係合は無理なく行われる。この係合によって、左右の支持側壁３、４の背当て部２に対する位置関係は固定され、本考案の組立式展示用物立は安定に自立することが可能となる。
【００２８】
次に、図４に矢印で示すとおり、載置台部６を折り目線２４に沿って谷折りに折り曲げ、また、載置台部６を構成する部分６ｂを折り目線６４に沿って、部分６ａに対して谷折りに折り曲げるとともに、載置台部６を構成する部分６ｃを折り目線６５に沿って、部分６ｂに対して折り曲げる。このようにして、図５に示すとおり、舌片７を切り欠き８に挿入し、両者を係合させて載置台部６の折り曲げが完了すると、載置台部６は、部分６ａを水平な底辺とする、手前上がりの断面三角形状を形成し、本考案の組立式展示用物立の組み立ても完了する。
【００２９】
このとき、上述のとおり、舌片７と切り欠き部８とが、ともに幅広の形状に形成されているので、挿入に際しては、舌片７の先端の幅広部を、切り欠き部８の最も幅広の部分から切り欠き部８の内部に挿入することができる。また、舌片７が一旦切り欠き部８の内部に挿入された場合には、舌片７の幅広部が切り欠き部８と係合し、両者の係合は安定する。特に、載置台部６に展示物を載置した場合には、展示物の自重によって舌片７が下方に押し下げられるので、舌片７の幅広部は、切り欠き部８の折り目線２４に近い幅の狭い部分と係合し、舌片７と切り欠き部８との係合はより安定した確実なものとなる。これにより、例えば、百科事典等の重量のある展示物を載置台部６に載置しても、舌片７と切り欠き部８との係合は外れることがなく、展示物を安定して展示することができる。
【００３０】
また、折り目線２４が、背当て部２の下辺２２から、シート状材料１の厚みに相当する長さだけ内側に入った位置に設けられているので、載置台部６の部分６ａを背当て部２に対して折り曲げたとき、部分６ａの下面が背当て部２の下面、引いては、左右の支持側壁３、４の下面と揃うことになる。載置台部６の部分６ａを、折り目線２４に沿って背当て部２に対して折り曲げたとき、実際には、背当て部２の折り目線２４と下辺２２との間の部分も、その上の部分に対して折り曲げられており、この折り曲げを容易にするために、背当て部２の側辺２１ａ、２１ｂの、折り目線２４と下辺２２との間に切れ目を入れるようにしても良い。
【００３１】
なお、舌片７と切り欠き部８の形状は、必ずしも、上述したような幅広にする必要はなく、舌片７と切り欠き部８との係合が十分であれば、両者ともに、同じ幅の長方形状としても良い。また、図２〜図５を用いて説明した組み立て順序は、一例であり、本考案の組立式展示用物立作成用のシート材料１から本考案の組立式展示用物立を組み立てる順序は図２〜図５に示した順序に限られるものではない。
【００３２】
図６は、組立が完了した本考案の組立式展示用物立１０を側面から見た図である。図に示すとおり、本考案の組立式展示用物立１０の背当て部２は、垂直位置から角度αだけ後方に傾いた位置で、左右の支持側壁３、４によって安定に支持される。また、本考案の組立式展示用物立１０は、背当て部２の手前に、部分６ａ、６ｂ、６ｃから構成される載置台部６を有しており、この載置台部６は、部分６ｂの長さ分だけ前方が高く、後方に傾斜した形状となっている。このため、例えば展示物９を本考案の組立式展示用物立１０に載置して、図示のように後方に傾斜した状態で展示しても、展示物９の下端が手前に滑って展示物９が倒れてしまう恐れがない。
【００３３】
また、本考案の組立式展示用物立１０においては、展示物９の背面を背当て部２で受け、展示物９の下面を載置台部６で受けることになるので、背当て部２の垂直位置からの傾斜角度にもよるけれども、展示物９の重量Ｗは、図中に示すように、そのほとんどがＷｘとして載置台部６に掛かり、本考案の組立式展示用物立１０を下方に押し付ける方向に作用するので、展示物９の重量に負けて、本考案の組立式展示用物立１０が転倒してしまう恐れがない。しかも、載置台部６と背当て部２とは連接されているので、展示物９の重量に負けて背当て部２の部分だけが後方に滑り、展示物９が倒れてしまうといった恐れもない。
【００３４】
特に、舌片７と切り欠き部８とを、上述したように共に幅広に形成する場合には、載置台部６に展示物９を載置したときに、舌片７が展示物９の自重によって下方に押し下げられ、舌片７の幅広部が切り欠き部８とより確実に係合するので、載置台部６は安定して展示物９を保持することができる。
【００３５】
なお、場合によっては、展示物９の背面と背当て部２との間、或いは、展示物９の下面と載置台部６との間に、両面接着テープなどを介在させ、展示物９の保持をより安定したものとすることも可能である。また、展示物９の下面と接する載置台部６の部分６ｃに、例えば、樹脂やゴムの薄いシートを張り付けか塗布によって形成し、摩擦係数を大きくすることも適宜なし得る。同様に、載置台部６の部分６ａの下面にも、樹脂やゴムの薄いシートを張り付けか塗布によって形成し、摩擦係数を大きくして、本考案の組立式展示用物立１０の安定性をより高めることも適宜行い得る。上述のような、両面接着テープ、樹脂やゴムの薄いシートの張り付けか塗布による形成は、本考案の組立式展示用物立作成用のシート状材料において予め行っておいても良いし、本考案の組立式展示用物立作成用のシート状材料とは別に準備しておき、組み立て時、或いは組み立て後に、貼り付けるか形成するようにしても良い。
【００３６】
本考案の組立式展示用物立作成用のシート材料を構成する材料としては、折り曲げて、本考案の組立式展示用物立を組み立てることができる限り、どのような材料を用いても良く、例えば、厚紙、段ボール紙、合紙などの紙、プラスチック、金属などが挙げられるけれども、入手や加工の容易性、また廃棄や再生の容易性の観点からは、紙を用いるのが好ましく、厚紙や段ボール紙や合紙などのシート状のものを、所定の形状に裁断し、切れ目、切り欠きを設け、折り目線を付けて、製造するのが良い。本考案の組立式展示用物立作成用のシート材料には、適宜の箇所に、色彩、文字、記号、数字、模様などを印刷したり、貼り付けたりすることができる。
【００３７】
厚紙や段ボール紙や合紙などの紙を材料として用いる場合、本考案の組立式展示用物立作成用のシート材料は、一枚の厚みが高々数ミリで通常展示される大きさの書籍等を保持、展示するに十分であり、何枚かを重ねて保管、輸送をすることができ、嵩張らず、取り扱い性に極めて優れている。
【産業上の利用可能性】
【００３８】
以上説明したように、本考案の組立式展示用物立作成用のシート状材料によれば、所定の折り目線に沿って折り曲げるという非常に簡単な操作で、安定した展示用物立を組み立てることができる。しかも、本考案の組立式展示用物立作成用のシート状材料は、重ねて保管、輸送することができ、嵩張らず、取り扱い性に優れ、要時に組み立て、不要時には折り曲げ部分を元に戻して、シート状にして保管することができる。図書館や書店における図書や書籍等の展示、陳列は言うに及ばず、広く種々の商品、資料等を展示、陳列するのに極めて優れた効果を発揮するものである。
【図面の簡単な説明】
【００３９】
【図１】本考案の組立式展示用物立作成用のシート状材料の一例を示す図である。
【図２】組立式展示用物立の組み立て順序の説明図である。
【図３】組立式展示用物立の組み立て順序の説明図である。
【図４】組立式展示用物立の組み立て順序の説明図である。
【図５】組立式展示用物立の組み立て順序の説明図である。
【図６】本考案の組立式展示用物立作成用のシート状材料を用いて組み立てられた組立式展示用物立の側面図である。
【符号の説明】
【００４０】
１          組立式展示用物立作成用のシート状材料
２          背当て部
３          左の支持側壁
４          右の支持側壁
５          係合片
６          載置台部
７          舌片
８          切り欠き
９          展示物
１０        組立式展示用物立
２１ａ、２１ｂ、２４、５１、６４、６５      折り目線
５２、５５ａ、５５ｂ      切れ目
５３ａ、５３ｂ      左右の凸部
５４ａ、５４ｂ      左右の凹部
Ａ        始点
Ｂ        終点
Ｗ        展示物の重量
Ｗｘ      展示物の重量の載置台部に掛かる成分
Ｗｙ      展示物の重量の背当て部に掛かる成分
【図１】
0003124883.tif 000003
【図２】
0003124883.tif 000004
【図３】
0003124883.tif 000005
【図４】
0003124883.tif 000006
【図５】
0003124883.tif 000007
【図６】
0003124883.tif 000008